(57)【特許請求の範囲】
【請求項１】
建物外から建物内に引き込まれた第１の光ドロップケーブル（１０1）と建物内に敷設された第２の光ドロップケーブル（１０2）とを建物内で接続するための光ケーブル接続具であって、
前記第１および第２の光ドロップケーブルを接続した状態で固定するためのハウジング（２０）を具備し、
前記ハウジングの上面に、前記第１および第２の光ドロップケーブルをそれぞれ収容するための第１および第２のケーブル収容溝（２１1，２１2）が、該ハウジングの両端部から該ハウジングの中央部に向かって延びてそれぞれ形成されており、
前記第１および第２のケーブル収容溝の間の領域に、第１および第２の光ドロップケーブルの被覆をテンションメンバとともに先端から所定の長さだけ切断除去することにより該第１および第２の光ドロップケーブルから露出された第１および第２の光ファイバ心線（１１1，１１2）を接続するためのファイバ連結部（２２）が前記ハウジングの上面の凹部として形成されており、
前記ファイバ連結部に、前記第１および第２の光ファイバ心線を接続する光ファイバ心線接続手段を該光ファイバ心線接続手段の幅方向両側から保持する第１および第２の保持爪（２２ａ1，２２ａ2）が設けられており、
前記ハウジングに、テンションメンバ（１２11，１２12，１２21，１２22）、第１および第２の光ファイバ心線および被覆を含む第１および第２の光ドロップケーブルの先端部を該ハウジングに固定する光ドロップケーブル固定手段が設けられている、
ことを特徴とする、光ケーブル接続具。
【請求項２】
前記光ドロップケーブル固定手段が、
前記第１のケーブル収容溝を該第１のケーブル収容溝の幅方向に横断するように前記ハウジングの上面に取り付けられた、かつ、一方の端部が第１の軸部材（２６ａ1）によって該ハウジングに回動自在に支持され、他方の端部が第１のねじ（２７1）によって該ハウジングに固定される第１のケーブル押さえ（２６1）と、
前記第２のケーブル収容溝を該第２のケーブル収容溝の幅方向に横断するように前記ハウジングの上面に取り付けられた、かつ、一方の端部が第２の軸部材（２６ａ2）によって該ハウジングに回動自在に支持され、他方の端部が第２のねじ（２７2）によって該ハウジングに固定される第２のケーブル押さえ（２６2）と、
を備えることを特徴とする、請求項１記載の光ケーブル接続具。
【請求項３】
前記第１および第２のケーブル収容溝の深さを前記第１および第２の光ドロップケーブルの厚みよりも浅くして、該第１および第２のケーブル収容溝から出っ張った部分を前記第１および第２のケーブル押さえでそれぞれ押圧することを特徴とする、請求項２記載の光ケーブル接続具。
【請求項４】
前記第１および第２のケーブル押さえが前記ハウジングに固定された状態において、該第１および第２のケーブル押さえの前記第１および第２のケーブル収容溝と対向する領域に第１および第２の凸部をそれぞれ設け、該第１および第２の凸部によって前記第１および第２の光ドロップケーブルをそれぞれ押圧することを特徴とする、請求項２記載の光ケーブル接続具。
【請求項５】
接続後の前記第１および第２の光ドロップケーブルの前記第１および第２の光ファイバ心線を保護するためのカバー（３０）をさらに具備し、
前記光ドロップケーブル固定手段が、前記カバーを閉じた状態で前記第１および第２のケーブル収容溝と対向する前記カバーの領域にそれぞれ設けられた第１および第２の凸部（３２1，３２2）を備える、
ことを特徴とする、請求項１記載の光ケーブル接続具。
【請求項６】
建物外から建物内に引き込まれた第１の光ドロップケーブル（１０1）と建物内に敷設された第２の光ドロップケーブル（１０2）とを建物内で接続するための光ケーブル接続具であって、
前記第１および第２の光ドロップケーブルを接続した状態で固定するためのハウジング（２０）と、
光ドロップケーブル固定手段とを具備し、
前記ハウジングの上面に、前記第１および第２の光ドロップケーブルをそれぞれ収容するための第１および第２のケーブル収容溝（２１1，２１2）が、該ハウジングの両端部から該ハウジングの中央部に向かって延びてそれぞれ形成されており、
前記第１および第２のケーブル収容溝の間の領域に、前記第１の光ドロップケーブルの第１の被覆（１３1）を該第１の光ドロップケーブルの幅方向中央部で長手方向に沿って所定の長さだけ切り開いて該第１の光ドロップケーブルの先端部を２つの先端部分（１０ａ11，１０ａ12）に分岐させることによって露出された第１の光ファイバ心線（１１1）と、前記第２の光ドロップケーブルの第２の被覆（１３2）を該第２の光ドロップケーブルの幅方向中央部で長手方向に沿って所定の長さだけ切り開いて該第２の光ドロップケーブルの先端部を２つの先端部分（１０ａ21，１０ａ22）に分岐させることによって露出された第２の光ファイバ心線（１１2）とを接続するためのファイバ連結部（２２）が前記ハウジングの上面の凹部として形成されており、
前記ファイバ連結部に、前記第１および第２の光ファイバ心線を接続する光ファイバ心線接続手段を該光ファイバ心線接続手段の幅方向両側から保持する第１および第２の保持爪（２２ａ1，２２ａ2）が設けられており、
前記光ドロップケーブル固定手段が、
前記ファイバ連結部の前記第１および第２の光ファイバ心線が接続される位置の両側の一方に設けられた、かつ、前記第１の光ドロップケーブルのテンションメンバおよび第１の被覆を含む前記２つの先端部分の一方（１０ａ11）と前記第２の光ドロップケーブルのテンションメンバおよび第２の被覆を含む前記２つの先端部分の一方（１０ａ21）とを前記ハウジングに固定するための第１のケーブル固定構造（４１1）と、
前記ファイバ連結部の前記第１および第２の光ファイバ心線が接続される位置の両側の他方に設けられた、かつ、前記第１の光ドロップケーブルのテンションメンバおよび第１の被覆を含む前記２つの先端部分の他方（１０ａ12）と前記第２の光ドロップケーブルのテンションメンバおよび第２の被覆を含む前記２つの先端部分の他方（１０ａ22）とを前記ハウジングに固定するための第２のケーブル固定構造（４１2）とを備え、
前記第１の光ドロップケーブルのテンションメンバおよび第１の被覆を含む前記２つの先端部分（１０ａ11，１０ａ12）と前記第２の光ドロップケーブルのテンションメンバおよび第２の被覆を含む前記２つの先端部分（１０ａ21，１０ａ22）とが、前記ファイバ連結部内において前記第１および第２のケーブル固定構造に導かれている、
ことを特徴とする、光ケーブル接続具。
【請求項７】
前記第１のケーブル固定構造が、
前記第１の光ドロップケーブルの前記２つの先端部分の一方および前記第２の光ドロップケーブルの前記２つの先端部分の一方が挿入される第１のケーブル挿通孔（４３ａ1）が形成された、かつ、長手方向両端部の外表面に該第１のケーブル挿通孔に達する２つのねじ孔（４３ｂ11，４３ｂ12）が開口された第１のケーブル支持部（４３1）と、
前記第１の光ドロップケーブルの前記２つの先端部分の他方および前記第２の光ドロップケーブルの前記２つの先端部分の他方が挿入される第２のケーブル挿通孔（４３ａ2）が形成された、かつ、長手方向両端部の外表面に該第２のケーブル挿通孔に達する２つのねじ孔（４３ｂ21，４３ｂ22）が開口された第２のケーブル支持部（４３2）と、
前記第１のケーブル支持部に開口された前記２つのねじ孔にそれぞれねじ込まれる２本のねじ（４４11，４４12）と、
前記第２のケーブル支持部に開口された前記２つのねじ孔にそれぞれねじ込まれる２本のねじ（４４21，４４22）とを備える、
ことを特徴とする、請求項６記載の光ケーブル接続具。
【請求項８】
前記第１のケーブル固定構造が、
前記第１の光ドロップケーブルの前記２つの先端部分の一方および前記第２の光ドロップケーブルの前記２つの先端部分の一方が嵌め込まれる第１の溝（４５ａ1）が形成された第１のケーブル支持部（４５1）と、
前記第１の溝に隣接した位置で前記第１のケーブル支持部の長手方向両端部にそれぞれ形成された２つのねじ孔（４５ｂ11，４５ｂ12）と、
該２つのねじ孔にそれぞれねじ込まれる２本のねじ（４６11，４６12）とを備え、
前記第２のケーブル固定構造が、
前記第１の光ドロップケーブルの前記２つの先端部分の他方および前記第２の光ドロップケーブルの前記２つの先端部分の他方が嵌め込まれる第２の溝（４５ａ2）が形成された第２のケーブル支持部（４５2）と、
前記第２の溝に隣接した位置で前記第２のケーブル支持部の長手方向両端部にそれぞれ形成された２つのねじ孔（４５ｂ21，４５ｂ22）と、
該２つのねじ孔にそれぞれねじ込まれる２本のねじ（４６21，４６22）とを備える、
ことを特徴とする、請求項６記載の光ケーブル接続具。
【請求項９】
前記第１のケーブル固定構造が、
前記第１の光ドロップケーブルの前記２つの先端部分の一方および前記第２の光ドロップケーブルの前記２つの先端部分の一方を支持するための第１のケーブル支持部（４７ａ1）と、
該第１のケーブル支持部に対して開閉可能に連結された第１のケーブル押さえ部（４７ｂ1）とを備え、
前記第２のケーブル固定構造が、
前記第１の光ドロップケーブルの前記２つの先端部分の他方および前記第２の光ドロップケーブルの前記２つの先端部分の他方を支持するための第２のケーブル支持部（４７ａ2）と、
該第２のケーブル支持部に対して開閉可能に連結された第２のケーブル押さえ部（４７ｂ2）とを備え、
前記第１のケーブル支持部と前記第１のケーブル押さえ部との間に、前記第１の光ドロップケーブルの前記２つの先端部分の一方および前記第２の光ドロップケーブルの前記２つの先端部分の一方を狭持するための第１の凹部が形成されており、
前記第２のケーブル支持部と前記第２のケーブル押さえ部との間に、前記第１の光ドロップケーブルの前記２つの先端部分の他方および前記第２の光ドロップケーブルの前記２つの先端部分の他方を狭持するための第２の凹部が形成されており、
前記第１のケーブル支持部および前記第１のケーブル押さえ部に、係合爪および係合溝からなる第１の係合構造（４７ｃ1）が形成されており、
前記第２のケーブル支持部および前記第２のケーブル押さえ部に、係合爪および係合溝からなる第２の係合構造（４７ｃ2）が形成されている、
ことを特徴とする、請求項６記載の光ケーブル接続具。
【請求項１０】
前記第１のケーブル固定構造が、
前記第１の光ドロップケーブルの前記２つの先端部分の一方を側方から挟み込む一対のクランプ爪（４８ａ11，４８ａ12）と、
前記第２の光ドロップケーブルの前記２つの先端部分の一方を側方から挟み込む一対のクランプ爪（４８ａ13，４８ａ14）とを備え、
前記第２のケーブル固定構造が、
前記第１の光ドロップケーブルの前記２つの先端部分の他方を側方から挟み込む一対のクランプ爪（４８ａ21，４８ａ22）と、
前記第２の光ドロップケーブルの前記２つの先端部分の他方を側方からそれぞれ挟み込む一対のクランプ爪（４８ａ23，４８ａ24）とを備える、
ことを特徴とする、請求項６記載の光ケーブル接続具。
【請求項１１】
前記光ケーブル接続具の背面に第１および第２の取付け穴（５０1，５０2）が形成されており、
該第１および第２の取付け穴に、室内の壁面（５５）や床面などに設けられた第１および第２のフック（５１1，５１2）がそれぞれ挿入される、
ことを特徴とする、請求項１乃至１０いずれかに記載の光ケーブル接続具。
【請求項１２】
前記光ケーブル接続具が、保護スリーブ（６０）で保護されており、
該保護スリーブが、一端が前記光ケーブル接続具の前記ハウジングの近傍で該ハウジングから延出した前記第１および第２の光ドロップケーブルの少なくとも一方に取り付けられたゴム製の少なくとも１つのチューブ（６１1，６１2）を備える、
ことを特徴とする、請求項１乃至１１いずれかに記載の光ケーブル接続具。
【請求項１３】
前記光ケーブル接続具が、保護スリーブ（７０）で保護されており、
該保護スリーブが、前記光ケーブル接続具を包囲するように第１および第２のカップ状部材（７１1，７１2）を向かい合わせた構成を有する円筒状のスリーブを備え、
前記第１および第２のカップ状部材の底部側端部に、前記第１および第２の光ドロップケーブルがそれぞれ挿通される第１および第２のケーブル挿通孔（７２1，７２2）が形成され、
前記第１および第２のカップ状部材の開放側端部の内周面に、第１および第２のねじ溝（７３1，７３2）が形成されており、
前記光ケーブル接続具の外面に、該光ケーブル接続具の長手方向中央部において、前記第１および第２のカップ状部材の開放側端部を支持する、かつ、外周面に前記第１および第２のカップ状部材の前記第１および第２のねじ溝に対応するねじ山が形成されたリング状部（７４）が形成されている、
ことを特徴とする、請求項１乃至１１いずれかに記載の光ケーブル接続具。
【請求項１４】
前記ハウジングと長手方向に沿った辺同士が開閉自在に連結された、かつ、該ハウジングに対して閉じられた状態では該ハウジングを覆うカバー（３０）をさらに具備し、
該カバーおよび前記ハウジングの互いに連結された辺と対向する辺には、互いに係合し合う係合爪（３０ａ1，３０ａ2，２０ａ）および係合凹部（２０ｂ1，２０ｂ2，３０ｂ）で構成される係合構造が設けられている、
ことを特徴とする、請求項１乃至１３いずれかに記載の光ケーブル接続具。
【請求項１５】
前記ハウジングと長手方向に沿った辺同士が開閉自在に連結された、かつ、該ハウジングに対して閉じられた状態では該ハウジングを覆うカバー（３０）と、
該カバーおよび前記ハウジングを弾性的に挟み込む第１および第２の挟持面（８１1，８１2）と該第１および第２の挟持面の間の背面（８２）とを備えるハウジング固定具（８０）とをさらに具備し、
前記第１および第２の挟持面に、前記カバーの上面および前記ハウジングの底面にそれぞれ形成された第１および第２の溝（８５1，８５2）とそれぞれ嵌合する第１および第２の凹部（８３1，８３2）がそれぞれ形成されており、
前記第１および第２の挟持面の先端に、第１および第２の爪が設けられている、
ことを特徴とする、請求項１乃至１３いずれかに記載の光ケーブル接続具。
【発明の詳細な説明】
【技術分野】
【０００１】
本発明は、光ケーブル接続具に関し、特に、建物外から建物内に引き込まれた光ドロップケーブルと建物内に敷設された光ドロップケーブルとを建物内で接続するのに好適な光ケーブル接続具に関する。
【背景技術】
【０００２】
インターネットの普及に伴い、光ファイバを用いて高速かつ大容量の信号を各家庭やオフィスなどへ伝送することができるＦＴＴＨ（Fiber To The Home）が注目されている。光ファイバを各家庭やオフィスなどの建物まで敷設する方法としては、従来のメタル電話線と同様に架空線路を利用して、多芯光ケーブルを敷設する方法が主流である。架空線路から建物までは、引落し用クロージャを介して１芯または２芯の光ドロップケーブルを接続することによって、多芯光ケーブルを分配している。
【０００３】
従来、引落し用クロージャからの光ドロップケーブルと建物内に敷設された光ドロップケーブルとの接続は、建物外に設置された接続部を用いて行われている。
たとえば、下記の特許文献１および特許文献２には、小型かつ軽量でありかつ設置場所の制約を少なくするために、光ファイバと支持線とをそれぞれ備えた２本の光ドロップケーブルの端末同士を接続する光ドロップケーブルの接続部において、双方の光ドロップケーブルの端末からそれぞれ露出された光ファイバの端末同士が直接接続され、直接接続されたそれぞれの光ファイバの端末に弛みが生じるように、双方の光ドロップケーブルの支持線の端末同士が直線的に連結されている、光ドロップケーブルの接続部が開示されている。
【０００４】
また、光ドロップケーブルは、ユーザの変更、建物の変更、あるいは架空線路の変更が生じると、再敷設および撤去される。このことは、光ドロップケーブルの無駄を生じさせてしまう。
そこで、下記の特許文献３には、たとえば光ドロップケーブルの長さが不足したような場合であっても光ドロップケーブルの継ぎ足しが容易に行えて光ドロップケーブルの再敷設などが不要となるようにするために、少なくとも一対の光ファイバケーブルの被覆部を固定する２つのケーブル固定部と、２つのケーブル固定部との間に光ファイバの接続部を固定する接続部固定部とを有する光ファイバケーブル接続用スペーサが開示されている。
【特許文献１】特開２００４−２９４９９号公報
【特許文献２】特開２００４−３２５９９８号公報
【特許文献３】特開２００４−２１２９１２号公報
【発明の開示】
【発明が解決しようとする課題】
【０００５】
しかしながら、上述した特許文献１および特許文献２に開示された光ドロップケーブルの接続部は、加入者用光ファイバケーブルと加入者宅間の架空区間で張力を担う支持線を利用するものであるので、十分な引張強度を持たせて光ドロップケーブル同士を建物外で接続するのには有効であるかもしれないが、支持線は光ドロップケーブルを建物内に引き込む際には切断されるため、十分な引張強度を持たせて光ドロップケーブル同士を建物内で接続するのには有効ではない。
また、上述した特許文献３に開示された光ファイバケーブル接続用スペーサは、光ドロップケーブルの継ぎ足しを容易に行って光ドロップケーブルの再敷設などを不要にするためには有効であるかもしれないが、たとえば建物内に引き込まれている光ドロップケーブルを補修する場合には、このような光ファイバケーブル接続用スペーサを用いて建物外で光ドロップケーブル同士を接続するよりも、建物内で光ドロップケーブル同士を接続した方が、作業性の向上が図れる。
【０００６】
本発明の目的は、十分な引張強度を持たせた光ドロップケーブル同士の接続を建物内で行うことができる光ケーブル接続具を提供することにある。
【課題を解決するための手段】
【０００７】
本発明の第１の光ケーブル接続具は、建物外から建物内に引き込まれた第１の光ドロップケーブル（１０1）と建物内に敷設された第２の光ドロップケーブル（１０2）とを建物内で接続するための光ケーブル接続具であって、前記第１および第２の光ドロップケーブルを接続した状態で固定するためのハウジング（２０）を具備し、前記ハウジングの上面に、前記第１および第２の光ドロップケーブルをそれぞれ収容するための第１および第２のケーブル収容溝（２１1，２１2）が、該ハウジングの両端部から該ハウジングの中央部に向かって延びてそれぞれ形成されており、前記第１および第２のケーブル収容溝の間の領域に、第１および第２の光ドロップケーブルの被覆をテンションメンバとともに先端から所定の長さだけ切断除去することにより該第１および第２の光ドロップケーブルから露出された第１および第２の光ファイバ心線（１１1，１１2）を接続するためのファイバ連結部（２２）が前記ハウジングの上面の凹部として形成されており、前記ファイバ連結部に、前記第１および第２の光ファイバ心線を接続する光ファイバ心線接続手段を該光ファイバ心線接続手段の幅方向両側から保持する第１および第２の保持爪（２２ａ1，２２ａ2）が設けられており、前記ハウジングに、テンションメンバ（１２11，１２12，１２21，１２22）、第１および第２の光ファイバ心線および被覆を含む第１および第２の光ドロップケーブルの先端部を該ハウジングに固定する光ドロップケーブル固定手段が設けられていることを特徴とする。
ここで、前記光ドロップケーブル固定手段が、前記第１のケーブル収容溝を該第１のケーブル収容溝の幅方向に横断するように前記ハウジングの上面に取り付けられた、かつ、一方の端部が第１の軸部材（２６ａ1）によって該ハウジングに回動自在に支持され、他方の端部が第１のねじ（２７1）によって該ハウジングに固定される第１のケーブル押さえ（２６1）と、前記第２のケーブル収容溝を該第２のケーブル収容溝の幅方向に横断するように前記ハウジングの上面に取り付けられた、かつ、一方の端部が第２の軸部材（２６ａ2）によって該ハウジングに回動自在に支持され、他方の端部が第２のねじ（２７2）によって該ハウジングに固定される第２のケーブル押さえ（２６2）とを備えてもよい。
前記第１および第２のケーブル収容溝の深さを前記第１および第２の光ドロップケーブルの厚みよりも浅くして、該第１および第２のケーブル収容溝から出っ張った部分を前記第１および第２のケーブル押さえでそれぞれ押圧してもよい。
前記第１および第２のケーブル押さえが前記ハウジングに固定された状態において、該第１および第２のケーブル押さえの前記第１および第２のケーブル収容溝と対向する領域に第１および第２の凸部をそれぞれ設け、該第１および第２の凸部によって前記第１および第２の光ドロップケーブルをそれぞれ押圧してもよい。
接続後の前記第１および第２の光ドロップケーブルの前記第１および第２の光ファイバ心線を保護するためのカバー（３０）をさらに具備し、前記光ドロップケーブル固定手段が、前記カバーを閉じた状態で前記第１および第２のケーブル収容溝と対向する前記カバーの領域にそれぞれ設けられた第１および第２の凸部（３２1，３２2）を備えてもよい。
本発明の第２の光ケーブル接続具は、建物外から建物内に引き込まれた第１の光ドロップケーブル（１０1）と建物内に敷設された第２の光ドロップケーブル（１０2）とを建物内で接続するための光ケーブル接続具であって、前記第１および第２の光ドロップケーブルを接続した状態で固定するためのハウジング（２０）と、光ドロップケーブル固定手段とを具備し、前記ハウジングの上面に、前記第１および第２の光ドロップケーブルをそれぞれ収容するための第１および第２のケーブル収容溝（２１1，２１2）が、該ハウジングの両端部から該ハウジングの中央部に向かって延びてそれぞれ形成されており、前記第１および第２のケーブル収容溝の間の領域に、前記第１の光ドロップケーブルの第１の被覆（１３1）を該第１の光ドロップケーブルの幅方向中央部で長手方向に沿って所定の長さだけ切り開いて該第１の光ドロップケーブルの先端部を２つの先端部分（１０ａ11，１０ａ12）に分岐させることによって露出された第１の光ファイバ心線（１１1）と、前記第２の光ドロップケーブルの第２の被覆（１３2）を該第２の光ドロップケーブルの幅方向中央部で長手方向に沿って所定の長さだけ切り開いて該第２の光ドロップケーブルの先端部を２つの先端部分（１０ａ21，１０ａ22）に分岐させることによって露出された第２の光ファイバ心線（１１2）とを接続するためのファイバ連結部（２２）が前記ハウジングの上面の凹部として形成されており、前記ファイバ連結部に、前記第１および第２の光ファイバ心線を接続する光ファイバ心線接続手段を該光ファイバ心線接続手段の幅方向両側から保持する第１および第２の保持爪（２２ａ1，２２ａ2）が設けられており、前記光ドロップケーブル固定手段が、前記ファイバ連結部の前記第１および第２の光ファイバ心線が接続される位置の両側の一方に設けられた、かつ、前記第１の光ドロップケーブルのテンションメンバおよび第１の被覆を含む前記２つの先端部分の一方（１０ａ11）と前記第２の光ドロップケーブルのテンションメンバおよび第２の被覆を含む前記２つの先端部分の一方（１０ａ21）とを前記ハウジングに固定するための第１のケーブル固定構造（４１1）と、前記ファイバ連結部の前記第１および第２の光ファイバ心線が接続される位置の両側の他方に設けられた、かつ、前記第１の光ドロップケーブルのテンションメンバおよび第１の被覆を含む前記２つの先端部分の他方（１０ａ12）と前記第２の光ドロップケーブルのテンションメンバおよび第２の被覆を含む前記２つの先端部分の他方（１０ａ22）とを前記ハウジングに固定するための第２のケーブル固定構造（４１2）とを備え、前記第１の光ドロップケーブルのテンションメンバおよび第１の被覆を含む前記２つの先端部分（１０ａ11，１０ａ12）と前記第２の光ドロップケーブルのテンションメンバおよび第２の被覆を含む前記２つの先端部分（１０ａ21，１０ａ22）とが、前記ファイバ連結部内において前記第１および第２のケーブル固定構造に導かれていることを特徴とする。
ここで、前記第１のケーブル固定構造が、前記第１の光ドロップケーブルの前記２つの先端部分の一方および前記第２の光ドロップケーブルの前記２つの先端部分の一方が挿入される第１のケーブル挿通孔（４３ａ1）が形成された、かつ、長手方向両端部の外表面に該第１のケーブル挿通孔に達する２つのねじ孔（４３ｂ11，４３ｂ12）が開口された第１のケーブル支持部（４３1）と、前記第１の光ドロップケーブルの前記２つの先端部分の他方および前記第２の光ドロップケーブルの前記２つの先端部分の他方が挿入される第２のケーブル挿通孔（４３ａ2）が形成された、かつ、長手方向両端部の外表面に該第２のケーブル挿通孔に達する２つのねじ孔（４３ｂ21，４３ｂ22）が開口された第２のケーブル支持部（４３2）と、前記第１のケーブル支持部に開口された前記２つのねじ孔にそれぞれねじ込まれる２本のねじ（４４11，４４12）と、前記第２のケーブル支持部に開口された前記２つのねじ孔にそれぞれねじ込まれる２本のねじ（４４21，４４22）とを備えてもよい。
前記第１のケーブル固定構造が、前記第１の光ドロップケーブルの前記２つの先端部分の一方および前記第２の光ドロップケーブルの前記２つの先端部分の一方が嵌め込まれる第１の溝（４５ａ1）が形成された第１のケーブル支持部（４５1）と、前記第１の溝に隣接した位置で前記第１のケーブル支持部の長手方向両端部にそれぞれ形成された２つのねじ孔（４５ｂ11，４５ｂ12）と、該２つのねじ孔にそれぞれねじ込まれる２本のねじ（４６11，４６12）とを備え、前記第２のケーブル固定構造が、前記第１の光ドロップケーブルの前記２つの先端部分の他方および前記第２の光ドロップケーブルの前記２つの先端部分の他方が嵌め込まれる第２の溝（４５ａ2）が形成された第２のケーブル支持部（４５2）と、前記第２の溝に隣接した位置で前記第２のケーブル支持部の長手方向両端部にそれぞれ形成された２つのねじ孔（４５ｂ21，４５ｂ22）と、該２つのねじ孔にそれぞれねじ込まれる２本のねじ（４６21，４６22）とを備えてもよい。
前記第１のケーブル固定構造が、前記第１の光ドロップケーブルの前記２つの先端部分の一方および前記第２の光ドロップケーブルの前記２つの先端部分の一方を支持するための第１のケーブル支持部（４７ａ1）と、該第１のケーブル支持部に対して開閉可能に連結された第１のケーブル押さえ部（４７ｂ1）とを備え、前記第２のケーブル固定構造が、前記第１の光ドロップケーブルの前記２つの先端部分の他方および前記第２の光ドロップケーブルの前記２つの先端部分の他方を支持するための第２のケーブル支持部（４７ａ2）と、  該第２のケーブル支持部に対して開閉可能に連結された第２のケーブル押さえ部（４７ｂ2）とを備え、前記第１のケーブル支持部と前記第１のケーブル押さえ部との間に、前記第１の光ドロップケーブルの前記２つの先端部分の一方および前記第２の光ドロップケーブルの前記２つの先端部分の一方を狭持するための第１の凹部が形成されており、前記第２のケーブル支持部と前記第２のケーブル押さえ部との間に、前記第１の光ドロップケーブルの前記２つの先端部分の他方および前記第２の光ドロップケーブルの前記２つの先端部分の他方を狭持するための第２の凹部が形成されており、前記第１のケーブル支持部および前記第１のケーブル押さえ部に、係合爪および係合溝からなる第１の係合構造（４７ｃ1）が形成されており、前記第２のケーブル支持部および前記第２のケーブル押さえ部に、係合爪および係合溝からなる第２の係合構造（４７ｃ2）が形成されていてもよい。
前記第１のケーブル固定構造が、前記第１の光ドロップケーブルの前記２つの先端部分の一方を側方から挟み込む一対のクランプ爪（４８ａ11，４８ａ12）と、前記第２の光ドロップケーブルの前記２つの先端部分の一方を側方から挟み込む一対のクランプ爪（４８ａ13，４８ａ14）とを備え、前記第２のケーブル固定構造が、前記第１の光ドロップケーブルの前記２つの先端部分の他方を側方から挟み込む一対のクランプ爪（４８ａ21，４８ａ22）と、前記第２の光ドロップケーブルの前記２つの先端部分の他方を側方からそれぞれ挟み込む一対のクランプ爪（４８ａ23，４８ａ24）とを備えてもよい。
前記光ケーブル接続具の背面に第１および第２の取付け穴（５０1，５０2）が形成されており、該第１および第２の取付け穴に、室内の壁面（５５）や床面などに設けられた第１および第２のフック（５１1，５１2）がそれぞれ挿入されてもよい。
前記光ケーブル接続具が、保護スリーブ（６０）で保護されており、該保護スリーブが、一端が前記光ケーブル接続具の前記ハウジングの近傍で該ハウジングから延出した前記第１および第２の光ドロップケーブルの少なくとも一方に取り付けられたゴム製の少なくとも１つのチューブ（６１1，６１2）を備えてもよい。
前記光ケーブル接続具が、保護スリーブ（７０）で保護されており、該保護スリーブが、前記光ケーブル接続具を包囲するように第１および第２のカップ状部材（７１1，７１2）を向かい合わせた構成を有する円筒状のスリーブを備え、前記第１および第２のカップ状部材の底部側端部に、前記第１および第２の光ドロップケーブルがそれぞれ挿通される第１および第２のケーブル挿通孔（７２1，７２2）が形成され、前記第１および第２のカップ状部材の開放側端部の内周面に、第１および第２のねじ溝（７３1，７３2）が形成されており、前記光ケーブル接続具の外面に、該光ケーブル接続具の長手方向中央部において、前記第１および第２のカップ状部材の開放側端部を支持する、かつ、外周面に前記第１および第２のカップ状部材の前記第１および第２のねじ溝に対応するねじ山が形成されたリング状部（７４）が形成されていてもよい。
前記ハウジングと長手方向に沿った辺同士が開閉自在に連結された、かつ、該ハウジングに対して閉じられた状態では該ハウジングを覆うカバー（３０）をさらに具備し、該カバーおよび前記ハウジングの互いに連結された辺と対向する辺には、互いに係合し合う係合爪（３０ａ1，３０ａ2，２０ａ）および係合凹部（２０ｂ1，２０ｂ2，３０ｂ）で構成される係合構造が設けられていてもよい。
前記ハウジングと長手方向に沿った辺同士が開閉自在に連結された、かつ、該ハウジングに対して閉じられた状態では該ハウジングを覆うカバー（３０）と、該カバーおよび前記ハウジングを弾性的に挟み込む第１および第２の挟持面（８１1，８１2）と該第１および第２の挟持面の間の背面（８２）とを備えるハウジング固定具（８０）とをさらに具備し、前記第１および第２の挟持面に、前記カバーの上面および前記ハウジングの底面にそれぞれ形成された第１および第２の溝（８５1，８５2）とそれぞれ嵌合する第１および第２の凹部（８３1，８３2）がそれぞれ形成されており、前記第１および第２の挟持面の先端に、第１および第２の爪が設けられていてもよい。
【発明の効果】
【０００８】
本発明の光ケーブル接続具は、以下の効果を奏する。
（１）テンションメンバが通った２本の光ドロップケーブルをハウジングに固定するので、光ドロップケーブルの支持線を用いなくても、十分な引張強度を持たせた光ドロップケーブル同士の接続を建物内で行うことができる。
（２）上述した特許文献１および特許文献２に開示された光ドロップケーブルの接続部のように光ファイバ心線の余長を確保する必要は必ずしもないので、建物内での光ドロップケーブル同士の接続を容易に行うことができる。
（３）カバーおよびハウジングの互いに連結された辺と対向する辺に、互いに係合し合う係合爪および係合凹部で構成される係合構造を設けることにより、光ケーブル接続具を建物内に設置しても、カバーが不用意に開けられることを防止することができる。
【発明を実施するための最良の形態】
【０００９】
十分な引張強度を持たせた光ドロップケーブル同士の接続を建物内で行うという目的を、光ケーブル接続具のハウジングに、テンションメンバが通った第１および第２の光ドロップケーブルをハウジングに固定する光ドロップケーブル固定手段を設けることにより実現した。
【実施例１】
【００１０】
次に、本発明の光ケーブル接続具の実施例について図面を参照して説明する。
本発明の第１の実施例による光ケーブル接続具１は、建物内に光ドロップケーブルを新規に敷設する敷設作業や建物内での光ドロップケーブルの切断による張り直しといった補修作業などのために、建物内で光ドロップケーブル同士を接続するのに用いられるものであり、図１および図２に示すように、建物外から建物内に引き込まれる第１の光ドロップケーブル１０1および建物内に敷設される第２の光ドロップケーブル１０2を互いに光学的に接続した状態で固定するためのハウジング２０と、接続後の第１および第２の光ドロップケーブル１０1，１０2の第１および第２の光ファイバ心線１１1，１１2を保護するためのカバー３０とを具備する。
ここで、第１の光ドロップケーブル１０1は、電柱などに設置されたドロップ用クロージャなどに接続されており、第２の光ドロップケーブル１０2は、屋内に設置されたメディアコンバータなどに接続されている。
【００１１】
ハウジング２０はほぼ直方体をなす部材であり、その上面には、第１および第２の光ドロップケーブル１０1，１０2をそれぞれ収容するための第１および第２のケーブル収容溝２１1，２１2が、ハウジング２０の長手方向両端部において互いに対向する２辺から中央部に向かって延びてそれぞれ形成されている。
【００１２】
第１および第２のケーブル収容溝２１1，２１2の間の領域には、第１および第２の光ドロップケーブル１０1，１０2から露出された第１および第２の光ファイバ心線１１1，１１2を光学的に接続するためのファイバ連結部２２がハウジング２０の上面の凹部として形成されている。
本実施例による光ケーブル接続具１では、光ファイバ心線接続手段としてメカニカルスプライス２５を用いて第１および第２の光ファイバ心線１１1，１１2の接続を行っており、ファイバ連結部２２には、メカニカルスプライス２５をその幅方向両側から保持する第１および第２の保持爪２２ａ1，２２ａ2が一体的に設けられている。
なお、第１および第２の光ファイバ心線１１1，１１2を接続する光ファイバ心線接続手段は、融着スリーブによるものであってもよい。
【００１３】
ハウジング２０の上面には、光ドロップケーブル固定手段として第１および第２のケーブル押さえ２６1，２６2が第１および第２のケーブル収容溝２１1，２１2をそれらの幅方向に横断するようにそれぞれ取り付けられている。
第１のケーブル押さえ２６1は、一方の端部が第１の軸部材２６ａ1によってハウジング２０に回動自在に支持されており、他方の端部が第１のねじ２７1によってハウジング２０に固定される。第２のケーブル押さえ２６2も、同様に、一方の端部が第２の軸部材２６ａ2によってハウジング２０に回動自在に支持されており、他方の端部が第２のねじ２７2によってハウジング２０に固定される。
【００１４】
第１および第２のケーブル押さえ２６1，２６2は、第１および第２のケーブル収容溝２１1，２１2にそれぞれ挿入された第１および第２の光ドロップケーブル１０1，１０2を第１および第２のケーブル収容溝２１1，２１2内でそれぞれ固定する働きをする。そのために、第１および第２のケーブル押さえ２６1，２６2と第１および第２のケーブル収容溝２１1，２１2とは、第１および第２の光ドロップケーブル１０1，１０2を第１および第２のケーブル収容溝２１1，２１2内にそれぞれ挿入した状態で第１および第２のねじ２７1，２７2によってハウジング２０にそれぞれ固定した際に、第１および第２のケーブル押さえ２６1，２６2が第１および第２の光ドロップケーブル１０1，１０2を第１および第２のケーブル収容溝２１1，２１2に向けてそれぞれ押圧するように構成されている。
【００１５】
第１および第２のケーブル押さえ２６1，２６2と第１および第２のケーブル収容溝２１1，２１2とをこのように構成する具体例としては、以下に示すような構成が挙げられる。
（１）第１および第２のケーブル収容溝２１1，２１2の深さを第１および第２の光ドロップケーブル１０1，１０2の厚みよりも浅くして、第１および第２のケーブル収容溝２１1，２１2から出っ張った部分を第１および第２のケーブル押さえ２６1，２６2でそれぞれ押圧する構成。
（２）第１および第２のケーブル押さえ２６1，２６2がハウジング２０に固定された状態において、第１および第２のケーブル押さえ２６1，２６2の第１および第２のケーブル収容溝２１1，２１2と対向する領域に第１および第２の凸部（不図示）をそれぞれ設け、第１および第２の凸部によって第１および第２の光ドロップケーブル１０1，１０2をそれぞれ押圧する構成。
【００１６】
カバー３０は、ハウジング２０の平面形状とほぼ同一の平面形状を有している。カバー３０とハウジング２０とは互いの長手方向に沿った辺同士がヒンジ（不図示）によって開閉自在に連結されており、カバー３０がハウジング２０に対して閉じられた状態では、カバー３０はハウジング２０の上面を覆う。
また、カバー３０には、カバー３０を閉じた状態で第１および第２のケーブル押さえ２６1，２６2がカバー３０に干渉しないようにするために、ハウジング２０との対向面の第１および第２のケーブル押さえ２６1，２６2に対応する位置に凹部がそれぞれ形成されている。
【００１７】
ハウジング２０およびカバー３０のヒンジで互いに連結された辺と対向する辺には、互いに係合し合う係合爪および係合凹部で構成される係合構造が設けられている。
すなわち、カバー３０の長手方向両端部には第１および第２の係合爪３０ａ1，３０ａ2がそれぞれ設けられており、ハウジング２０の長手方向両端部には、第１および第２の係合爪３０ａ1，３０ａ2がそれぞれ係合する第１および第２の係合凹部２０ｂ1，２０ｂ2がそれぞれ設けられている。また、ハウジング２０の長手方向中央部には第３の係合爪２０ａが設けられており、カバー３０の長手方向中央部には、第３の係合爪２０ａが係合する第３の係合凹部３０ｂが設けられている。
このように、互いの係合関係が交互になるように第１乃至第３の係合爪３０ａ1，３０ａ2，２０ａおよび第１乃至第３の係合凹部２０ｂ1，２０ｂ2，３０ｂの組を配置することで、閉じているカバー３０を単純に開こうとしても両端部または中央部のいずれかで第１乃至第３の係合爪３０ａ1，３０ａ2，２０ａと第１乃至第３の係合凹部２０ｂ1，２０ｂ2，３０ｂとが係合しているので、カバー３０が不用意に開けられることを防止することができる。
【００１８】
第１の光ドロップケーブル１０1は、図３に示すように、第１のファイバ心線１１1と、第１の光ファイバ心線１１1を間において第１の光ファイバ心線１１1と平行にかつ間隔をあけて配置された２本のテンションメンバ１２11，１２12と、第１の光ファイバ心線１１1と２本のテンションメンバ１２11，１２12とを保護するための第１の被覆１３1とを備える。ここで、各テンションメンバ１２11，１２12は、建物内における第１の光ドロップケーブル１０1の張力を担っており、鋼線またはＦＲＰ（Fiber Reinforced Plastics）などで構成されている。また、各テンションメンバ１２11，１２12の直径は、一般には、０．４ｍｍ程度である。
第２の光ドロップケーブル１０2は、第１の光ドロップケーブル１０1と同様の構成を有する。
なお、第１および第２の光ドロップケーブル１０1，１０2は、図３に示したように１本の光ファイバ心線を備えるが、２本以上の光ファイバ心線を備えるものであってもよい。
【００１９】
次に、本実施例による光ケーブル接続具１を用いて第１および第２の光ドロップケーブル１０1，１０2を接続する方法（光ケーブル接続方法）について説明する。
まず、第１の光ドロップケーブル１０1の第１の被覆１３1（図３参照）を２本のテンションメンバ１２11，１２12とともに先端から所定の長さだけ切断除去し、第１の光ファイバ心線１１1を所定の長さだけ露出させる。また、第２の光ドロップケーブル１０2について、同様にして、第２の光ファイバ心線１１2を所定の長さだけ露出させる。
【００２０】
続いて、第１および第２の光ドロップケーブル１０1，１０2を、露出した第１および第２の光ファイバ心線１１1，１１2が向き合うように対向させたのち、メカニカルスプライス２５を用いて第１および第２の光ファイバ心線１１1，１１2の先端部同士を接続する（図１および図２参照）。これにより、第１および第２の光ドロップケーブル１０1，１０2が光学的に接続される。
なお、第１および第２の光ファイバ心線１１1，１１2の先端部同士を接続する際には、余長を確保してもよいが、余長を確保する必要は必ずしもない。
【００２１】
続いて、第１および第２の光ドロップケーブル１０1，１０2が接続された状態でメカニカルスプライス２５をファイバ連結部２２に保持させるとともに、第１および第２の光ドロップケーブル１０1，１０2を第１および第２のケーブル収容溝２１1，２１2にそれぞれ嵌め込む。ここで、ファイバ連結部２２によるメカニカルスプライス２５の保持は、メカニカルスプライス２５を第１および第２の保持爪２２ａ1，２２ａ2の間に押し込むだけで簡単に行うことができる。
【００２２】
続いて、第１および第２のケーブル押さえ２６1，２６2を、第１および第２の軸部材２６ａ1，２６ａ2を中心にそれぞれ回動させて第１および第２のケーブル収容溝２１1，２１ａ2上にそれぞれ掛け渡したのち、第１および第２のケーブル押さえ２６1，２６2の他端部を第１および第２のねじ２７1，２７2でハウジング２０にそれぞれ締め付ける。これにより、第１および第２のケーブル押さえ２６1，２６2は第１および第２の光ドロップケーブル１０1，１０2を第１および第２のケーブル収容溝２１1，２１ａ2にそれぞれ押し付けるため、第１および第２の光ドロップケーブル１０1，１０2がハウジング２０に固定される。
【００２３】
続いて、カバー３０を閉じて、第１および第２の光ドロップケーブル１０1，１０2の第１および第２の光ファイバ心線１１1，１１2が露出した部分を覆う。カバー３０を閉じる際に第１乃至第３の係合爪３０ａ1，３０ａ2，２０ａと第１乃至第３の係合凹部２０ｂ1，２０ｂ2，３０ｂとをそれぞれ係合させることによって、ハウジング２０に対してカバー３０を固定する。これによって、カバー３０が不用意に開くのを防止することができる。
【００２４】
以上説明したように、光ケーブル接続具１を用いることによって、極めて簡単に、建物内で第１および第２の光ドロップケーブル１０1，１０2を接続することができる。
また、テンションメンバ１２11，１２12が通った第１および第２の光ドロップケーブル１０1およびテンションメンバ１２21，１２22が通った第２の光ドロップケーブル１０2を第１および第２のケーブル押さえ２６1，２６2を用いてハウジング２０にそれぞれ固定することにより十分な引張強度を持たせることができるので、たとえば建物内で第１および第２の光ドロップケーブル１０1，１０2が何らかの原因で引っ張られても第１および第２の光ドロップケーブル１０1，１０2の接続を保つことができる。
【００２５】
以上の説明においては、第１および第２のケーブル押さえ２６1，２６2を用いて第１および第２の光ドロップケーブル１０1，１０2をハウジング２０にそれぞれ固定したが、図４に示すような第１および第２の凸部３２1，３２2（第２の凸部３２2は不図示）をカバー３０の長手方向両端部にカバー３０と一体的にそれぞれ設けることによって、第１および第２のケーブル押さえ２６1，２６2を用いずに第１および第２の光ドロップケーブル１０1，１０2を固定してもよい。ここで、第１および第２の凸部３２1，３２2は、カバー３０を閉じた状態で第１および第２のケーブル収容溝２１1，２１2と対向する領域にそれぞれ設けられている。
【００２６】
第１の凸部３２1を用いて第１の光ドロップケーブル１０1を固定するには、第１の光ドロップケーブル１０1を第１のケーブル収容溝２１1内に嵌め込んだのち、カバー３０を閉じる。これにより、第１の光ドロップケーブル１０1は第１の凸部３２1によって押圧され、ハウジング２０に固定される。第２の光ドロップケーブル１０2も、同様にして、第２の凸部３２2を用いてハウジング２０に固定される。
【００２７】
このように、第１および第２の光ドロップケーブル１０1，１０2をハウジング２０に固定するための第１および第２の凸部３２1，３２2をカバー３０に設けることにより、光ケーブル接続具の構造を簡単化することができる。
【実施例２】
【００２８】
次に、本発明の第２の実施例による光ケーブル接続具１００について、図５を参照して説明する。なお、図５は、本実施例による光ケーブル接続具１００の平面図であり、カバーを除いた状態で示している。
【００２９】
本実施例による光ケーブル接続具１００では、第１の光ドロップケーブル１０1の第１の被覆１３1（図３参照）をその幅方向中央部で長手方向に沿って所定の長さだけ切り開くことによって、第１の光ドロップケーブル１０1の先端部を２つの先端部分１０ａ11，１０ａ12に分岐させて第１の光ファイバ心線１１1を露出させるとともに、分岐された２つの先端部分１０ａ11，１０ａ12をハウジング２０に固定する。
同様にして、第２の光ドロップケーブル１０2の第２の被覆１３2（不図示）をその幅方向中央部で長手方向に沿って所定の長さだけ切り開くことによって、第２の光ドロップケーブル１０2の先端部を２つの先端部分１０ａ21，１０ａ22に分岐させて第２の光ファイバ心線１１2を露出させるとともに、分岐された２つの先端部分１０ａ21，１０ａ22をハウジング２０に固定する。
【００３０】
そのため、第１の光ドロップケーブル１０1の２つの先端部分１０ａ11，１０ａ12の一方（先端部分１０ａ11）および第２の光ドロップケーブル１０2の２つの先端部分１０ａ21，１０ａ22の一方（先端部分１０ａ21）をハウジング２０に固定するための第１のケーブル固定構造４１1と、第１の光ドロップケーブル１０1の２つの先端部分１０ａ11，１０ａ12の他方（先端部分１０ａ12）および第２の光ドロップケーブル１０2の２つの先端部分１０ａ21，１０ａ22の他方（先端部分１０ａ22）をハウジング２０に固定するための第２のケーブル固定構造４１2とが、ファイバ連結部２２の第１および第２の光ファイバ心線１１1，１１2が接続される位置の両側にそれぞれ設けられている。
【００３１】
また、ファイバ連結部２２には、第１の光ドロップケーブル１０1の先端部分１０ａ11を第１のケーブル固定構造４１1へ良好に導くための第１のガイドピン４２1と、第１の光ドロップケーブル１０1の先端部分１０ａ12を第２のケーブル固定構造４１2へ良好に導くための第２のガイドピン４２2と、第２の光ドロップケーブル１０2の先端部分１０ａ21を第１のケーブル固定構造４１1へ良好に導くための第３のガイドピン４２3と、第２の光ドロップケーブル１０2の先端部分１０ａ22を第２のケーブル固定構造４１2へ良好に導くための第４のガイドピン４２4とが設けられている。
【００３２】
第１および第２の光ドロップケーブル１０1，１０2の露出された第１および第２の光ファイバ心線１１1，１１2はメカニカルスプライス２５を用いて接続される。このとき、第１および第２の光ドロップケーブル１０1，１０2は第１および第２のケーブル収容溝２１1，２１2に収容された状態で、分岐された先端部分１０ａ11，１０ａ12，１０ａ21，１０ａ22が第１乃至第４のガイドピン４２1〜４２4によってメカニカルスプライス２５の両側へそれぞれ導かれ、第１および第２のケーブル固定構造４１1，４１2でハウジング２０に固定される。
【００３３】
なお、第１および第２の光ドロップケーブル１０1，１０2の２つに分岐された先端部分１０ａ11，１０ａ12，１０ａ21，１０ａ22の長さは、先端部分１０ａ11，１０ａ12，１０ａ21，１０ａ22を第１および第２のケーブル固定構造４１1，４１2でハウジング２０に固定するのに妨げとならない長さであれば特に制限はない。
【００３４】
以上説明したように、本実施例による光ケーブル接続具１００では、第１および第２の光ドロップケーブル１０1，１０2の先端部を切り開くことによって２つに分岐させ、第１の光ドロップケーブル１０1の２つの先端部分１０ａ11，１０ａ12と第２の光ドロップケーブル１０2の２つの先端部分１０ａ21，１０ａ22とを第１および第２のケーブル固定構造４１1，４１2でハウジング２０に固定することにより、上述した第１の実施例による光ケーブル接続具１と比較して、廃棄される部材を大幅に削減することができる。
また、第１および第２の光ドロップケーブル１０1，１０2の先端部分１０ａ11，１０ａ12，１０ａ21，１０ａ22にはテンションメンバ１２11，１２12，１２21，１２22がそれぞれ通っているので（図３参照）、十分な引張強度を有しており、メカニカルスプライス２５を用いて接続された第１および第２の光ファイバ心線１１1，１１2の位置関係も良好に維持することができる。
【００３５】
図５では第１および第２のケーブル固定構造４１1，４１2について具体的な構造は示していないが、第１および第２のケーブル固定構造４１1，４１2としては、第１および第２の光ドロップケーブル１０1，１０2の分岐された先端部分１０ａ11，１０ａ12，１０ａ21，１０ａ22をハウジング２０に固定できるものであれば如何なる構造を採用することもできる。そのいくつかの具体例について、図６乃至図９を参照して説明する。
【００３６】
図６（ａ），（ｂ）に示す具体例では、同図（ｂ）に示すように、第１のケーブル固定構造４１1は、第１の光ドロップケーブル１０1の先端部分１０ａ11および第２の光ドロップケーブル１０2の先端部分１０ａ21が挿入される第１のケーブル挿通孔４３ａ1が形成された筒状の第１のケーブル支持部４３1を備える。また、第１のケーブル支持部４３1の長手方向両端部の外表面には、第１のケーブル挿通孔４３ａ1に達する２つのねじ孔４３ｂ11，４３ｂ12（ねじ孔４３ｂ12は不図示）が開口されている。
【００３７】
第１の光ドロップケーブル１０1の先端部分１０ａ11および第２の光ドロップケーブル１０2の先端部分１０ａ21を第１のケーブル挿通孔４３ａ1に通した状態で、２つのねじ孔４３ｂ11，４３ｂ12に２本のねじ４４11，４４12（ねじ４４12は不図示）がそれぞれねじ込まれる。これによって、図６（ａ）に示すように、第１の光ドロップケーブル１０1の先端部分１０ａ11および第２の光ドロップケーブル１０2の先端部分１０ａ21が第１のケーブル挿通孔４３ａ1内で２本のねじ４４11，４４12によってそれぞれ締め付けられて固定される。また、２本のねじ４４11，４４12を緩めれば、第１の光ドロップケーブル１０1の先端部分１０ａ11および第２の光ドロップケーブル１０2の先端部分１０ａ21を第１のケーブル挿通孔４３ａ1から引き出すことができる。
【００３８】
第２のケーブル固定構造４１2も、第１のケーブル固定構造４１1と同様に，第１の光ドロップケーブル１０1の先端部分１０ａ12および第２の光ドロップケーブル１０2の先端部分１０ａ22が挿入される第２のケーブル挿通孔４３ａ2（不図示）が形成された筒状の第２のケーブル支持部４３2を備え、第２のケーブル支持部４３2の長手方向両端部の外表面には、第２のケーブル挿通孔４３ａ2に達する２つのねじ孔４３ｂ21，４３ｂ22（不図示）が開口されている。
これにより、第１の光ドロップケーブル１０1の先端部分１０ａ12および第２の光ドロップケーブル１０2の先端部分１０ａ22を第２のケーブル挿通孔４３ａ2内で２本のねじ４４21，４４22（ねじ４４22は不図示）によってそれぞれ締め付けて固定し、２本のねじ４４21，４４22を緩めれば、第１の光ドロップケーブル１０1の先端部分１０ａ12および第２の光ドロップケーブル１０2の先端部分１０ａ22を第２のケーブル挿通孔４３ａ2から引き出すことができる。
【００３９】
図７（ａ），（ｂ）に示す具体例では、同図（ｂ）に示すように、第１のケーブル固定構造４１1は、第１の光ドロップケーブル１０1の先端部分１０ａ11および第２の光ドロップケーブル１０2の先端部分１０ａ21が嵌め込まれる第１の溝４５ａ1が形成された第１のケーブル支持部４５1と、第１の溝４５ａ1に隣接した位置で第１のケーブル支持部４５1の長手方向両端部にそれぞれ形成された２つのねじ孔４５ｂ11，４５ｂ12（ねじ孔４５ｂ12は不図示）と、２つのねじ孔４５ｂ11，４５ｂ12にそれぞれねじ込まれる２本のねじ４６11，４６12（ねじ４６12は不図示）とを有する。ここで、第１の溝４５ａ1の深さは、第１の光ドロップケーブル１０1の先端部分１０ａ11および第２の光ドロップケーブル１０2の先端部分１０ａ21の高さよりも浅くされている。
【００４０】
図７（ａ），（ｂ）に示すように、第１の光ドロップケーブル１０1の先端部分１０ａ11および第２の光ドロップケーブル１０2の先端部分１０ａ21は、第１の溝４５ａ1内に嵌め込まれる。この状態で、２つのねじ孔４５ｂ11，４５ｂ12に２本のねじ４６11，４６12をそれぞれねじ込むと、第１の光ドロップケーブル１０1の先端部分１０ａ11および第２の光ドロップケーブル１０2の先端部分１０ａ21は、２本のねじ４６11，４６12の頭部４６ａ11，４６ａ12（頭部４６ａ12は不図示）によって第１の溝４５ａ1にそれぞれ押し付けられる。これにより、第１の光ドロップケーブル１０1の先端部分１０ａ11および第２の光ドロップケーブル１０2の先端部分１０ａ21が固定される。
【００４１】
第２のケーブル固定構造４１2も、第１のケーブル固定構造４１1と同様に、第１の光ドロップケーブル１０1の先端部分１０ａ12および第２の光ドロップケーブル１０2の先端部分１０ａ22が嵌め込まれる第２の溝４５ａ2が形成された第２のケーブル支持部４５2と、第２の溝４５ａ2に隣接した位置で第２のケーブル支持部４５2の長手方向両端部にそれぞれ形成された２つのねじ孔４５ｂ21，４５ｂ22（不図示）と、２つのねじ孔４５ｂ21，４５ｂ22にそれぞれねじ込まれる２本のねじ４６21，４６22（ねじ４６22は不図示）とを有し、第２の溝４５ａ2の深さは、第１の光ドロップケーブル１０1の先端部分１０ａ12および第２の光ドロップケーブル１０2の先端部分１０ａ22の高さよりも浅くされている。
これにより、第１の光ドロップケーブル１０1の先端部分１０ａ12および第２の光ドロップケーブル１０2の先端部分１０ａ22を２本のねじ４６21，４６22の頭部４６ａ21，４６ａ22（不図示）によって第２の溝４５ａ2にそれぞれ押し付けて固定することができる。
【００４２】
なお、図７（ａ），（ｂ）には第１の溝４５ａ1が形成された第１のケーブル支持部４５1を用いた例を示したが、ファイバ連結部２２の底面に直接、第１の光ドロップケーブル１０1の先端部分１０ａ11および第２の光ドロップケーブル１０2の先端部分１０ａ21を載置するなど、第１の光ドロップケーブル１０1の先端部分１０ａ11および第２の光ドロップケーブル１０2の先端部分１０ａ21を支持する面は平坦であってもよい。ただし、図７（ａ），（ｂ）に示した具体例のように、溝状の部分に第１の光ドロップケーブル１０1の先端部分１０ａ11および第２の光ドロップケーブル１０2の先端部分１０ａ21を保持するようにすることにより、第１の光ドロップケーブル１０1の先端部分１０ａ11および第２の光ドロップケーブル１０2の先端部分１０ａ21を安定して保持することができる。
【００４３】
図８（ａ），（ｂ）に示す具体例では、同図（ｂ）に示すように、第１のケーブル固定構造４１1は、第１の光ドロップケーブル１０1の先端部分１０ａ11および第２の光ドロップケーブル１０2の先端部分１０ａ21が載置されて支持される第１のケーブル支持部４７ａ1と、第１のケーブル支持部４７ａ1に対して開閉可能にヒンジ連結された第１のケーブル押さえ部４７ｂ1とを有する。ここで、第１のケーブル支持部４７ａ1と第１のケーブル押さえ部４７ｂ1とは、一体の部材で構成されていてもよい。
【００４４】
第１のケーブル支持部４７ａ1と第１のケーブル押さえ部４７ｂ1との間には、第１の光ドロップケーブル１０1の先端部分１０ａ11および第２の光ドロップケーブル１０2の先端部分１０ａ21を狭持するための凹部が形成されている。この凹部は、図８（ｂ）に示すように、第１のケーブル支持部４７ａ1および第１のケーブル押さえ部４７ｂ1の双方に形成されていてもよいし、いずれか一方のみに形成されていてもよい。
【００４５】
第１のケーブル支持部４７ａ1および第１のケーブル押さえ部４７ｂ1には、係合爪および係合溝からなる第１の係合構造４７ｃ1が形成されている。第１の係合構造４７ｃ1によって、第１のケーブル支持部４７ａ1と第１のケーブル押さえ部４７ｂ1とを閉じた状態に保持することができる。図８（ｂ）では、第１のケーブル押さえ部４７ｂ1に係合爪を設け、第１のケーブル支持部４７ａ1に係合溝を設けた例を示したが、これらは逆であってもよい。
【００４６】
第２のケーブル固定構造４１2も、第１のケーブル固定構造４１1と同様に、第１の光ドロップケーブル１０1の先端部分１０ａ12および第２の光ドロップケーブル１０2の先端部分１０ａ22が載置されて支持される第２のケーブル支持部４７ａ2（不図示）と、第２のケーブル支持部４７ａ2に対して開閉可能にヒンジ連結された第２のケーブル押さえ部４７ｂ2とを有し、第２のケーブル支持部４７ａ2および第２のケーブル押さえ部４７ｂ2には、係合爪および係合溝からなる第２の係合構造４７ｃ2（不図示）が形成されている。
これにより、第１の光ドロップケーブル１０1の先端部分１０ａ12および第２の光ドロップケーブル１０2の先端部分１０ａ22を第２のケーブル支持部４７ａ2および第２のケーブル押さえ部４７ｂ2によって狭持することができる。
【００４７】
図９（ａ），（ｂ）に示す具体例では、同図（ｂ）に示すように、第１のケーブル固定構造４１1は、第１の光ドロップケーブル１０1の先端部分１０ａ11を側方から挟み込む一対のクランプ爪４８ａ11，４８ａ12と、第２の光ドロップケーブル１０1の先端部分１０ａ21を側方から挟み込む一対のクランプ爪４８ａ13，４８ａ14（不図示）と備える。ここで、クランプ爪４８ａ11〜４８ａ14は、ペンチのような簡易な工具で塑性変形させることができる金属板などで構成することができる。
【００４８】
第１の光ドロップケーブル１０1の先端部分１０ａ11および第２の光ドロップケーブル１０2の先端部分１０ａ21は、一対のクランプ爪４８ａ11，４８ａ12および一対のクランプ爪４８ａ13，４８ａ14が開いた状態で一対のクランプ爪４８ａ11，４８ａ12および一対のクランプ爪４８ａ13，４８ａ14の間にそれぞれ挿入される。この状態で一対のクランプ爪４８ａ11，４８ａ12および一対のクランプ爪４８ａ13，４８ａ14を閉じ、第１の光ドロップケーブル１０1の先端部分１０ａ11および第２の光ドロップケーブル１０2の先端部分１０ａ21を一対のクランプ爪４８ａ11，４８ａ12および一対のクランプ爪４８ａ13，４８ａ14でそれぞれ挟み込むことにより、第１の光ドロップケーブル１０1および第２の光ドロップケーブル１０2が固定される。
【００４９】
第２のケーブル固定構造４１2も、第１のケーブル固定構造４１1と同様に、第１の光ドロップケーブル１０1の先端部分１０ａ12を側方から挟み込む一対のクランプ爪４８ａ21，４８ａ22と、第２の光ドロップケーブル１０1の先端部分１０ａ22を側方から挟み込む一対のクランプ爪４８ａ23，４８ａ24（不図示）と備える。
これにより、第１の光ドロップケーブル１０1の先端部分１０ａ12および第２の光ドロップケーブル１０2の先端部分１０ａ22を一対のクランプ爪４８ａ21，４８ａ22および一対のクランプ爪４８ａ23，４８ａ24でそれぞれ挟み込むことにより、第１の光ドロップケーブル１０1および第２の光ドロップケーブル１０2が固定される。
【００５０】
以上、第１および第２のケーブル固定構造４１1，４１2の具体的構造について説明したが、本発明においては、第１の光ドロップケーブル１０1の先端部分１０ａ11，１０ａ12および第２の光ドロップケーブル１０2の先端部分１０ａ21，１０ａ22を着脱可能に固定できるものであれば、これらの具体的構造に限定されるものではない。
【００５１】
次に、光ケーブル接続具１，１００の建物内での設置方法について説明する。
光ケーブル接続具１，１００は、そのまま建物内に設置してもよいが、壁面あるいは床面に固定することが好ましい。
【００５２】
図１０（ａ），（ｂ）に、光ケーブル接続具１を建物の室内壁面に取り付けられるようにした例を示す。この例では、同図（ａ）に示すように、光ケーブル接続具１の背面に第１および第２の取付け穴５０1，５０2を形成し、同図（ｂ）に示すように、第１および第２の取付け穴５０1，５０2に、室内の壁面５５に設けられた第１および第２のフック５１1，５１2（第２のフック５１2は不図示）がそれぞれ挿入される構成となっている。
【００５３】
ここで、第１のフック５１1は、図１０（ｂ）に示すように、壁面５５に突設された第１の軸部５１ａ1と、第１の軸部５１ａ1の先端の、第１の軸部５１ａ1よりも直径の大きい第１の頭部５１ｂ1とを有する。また、第１の取付け穴５０1は、図１０（ａ）に示すように、第１のフック５１1の第１の頭部５１ａ1が挿入できるサイズを有する第１のフック挿入部５０ａ1と、第１のフック挿入部５０ａ1に挿入された第１のフック５１1の第１の頭部５１ｂ1を引っ掛けるための、第１のフック挿入部５０ａ1から図示上向きに延びて形成された第１の引掛け部５０ｂ1とを有する。
第２のフック５１2は、第１のフック５１1と同様に、壁面５５に突設された第２の軸部５１ａ2（不図示）と、第２の軸部５１ａ2の先端の、第２の軸部５１ａ2よりも直径の大きい第２の頭部５１ｂ2（不図示）とを有する。また、第２の取付け穴５０2は、第１の取付け穴５０1と同様に、第２のフック５１2の第２の頭部５１ａ2が挿入できるサイズを有する第２のフック挿入部５０ａ2（不図示）と、第２のフック挿入部５０ａ2に挿入された第２のフック５１2の第２の頭部５１ｂ2を引っ掛けるための、第２のフック挿入部５０ａ2から上向きに延びて形成された第２の引掛け部５０ｂ2（不図示）とを有する。
【００５４】
これにより、第１の取付け穴５０1の第１のフック挿入部５０ａ1に第１のフック５１1を挿入するとともに第２の取付け穴５０2の第２のフック挿入部５０ａ2に第２のフック５１2を挿入し、その状態で光ケーブル接続具１を壁面５５に対して図示下向きに移動させると、光ケーブル接続具１は第１および第２のフック５１1，５１2に係合するので、光ケーブル接続具１を壁面５５に固定することができる。
【００５５】
なお、第１および第２の取付け穴５０1，５０2と第１および第２のフック５１1，５１2の形態は、互いに係合し得る形態であれば、図１０（ａ），（ｂ）に示した形態に限られるものではない。
また、光ケーブル接続具１を壁面５５に固定する手段としては、上述したような係合を利用したものに限らず、その他にも、ねじや両面テープを利用したものなど、任意の手段を用いることができる。
【００５６】
次に、光ケーブル接続具１，１００の保護方法について説明する。
光ケーブル接続具１，１００は、保護スリーブで保護してもよい。
【００５７】
図１１（ａ），（ｂ）に示す例では、保護スリーブ６０は、ゴム製の第１および第２のチューブ６１1，６１2を有する。ここで、第１および第２のチューブ６１1，６１2は、一端が光ケーブル接続具１のハウジング２０の近傍でハウジング２０から延出した第１および第２の光ドロップケーブル１０1，１０2にそれぞれ取り付けられている。
なお、図１１（ａ）,(ｂ)では、第１および第２のチューブ６１1，６１2は断面で示されている。
【００５８】
第１および第２の光ドロップケーブル１０1，１０2の接続作業時には、図１１（ａ）に示すように、第１および第２のチューブ６１1，６１2の開放した他端側は、固定された一端よりもハウジング２０から離れた側を向いている。第１および第２の光ドロップケーブル１０1，１０2の接続が完了したのちは、図１１（ｂ）に示すように、第１および第２のチューブ６１1，６１2を、開放した他端側が光ケーブル接続具１のハウジング２０を通過するように反転させる。これにより、光ケーブル接続具１のハウジング２０は第１および第２のチューブ６１1，６１2によって全体が覆われる。
【００５９】
なお、第１および第２のチューブ６１1，６１2を用いた例を示したが、チューブの長さが光ケーブル接続具１をカバーするのに十分な長さを有している場合は、１つのチューブのみとしてもよい。
また、光ケーブル接続具１が接触することによる第１および第２のチューブ６１1，６１2の損傷を防止するために、光ケーブル接続具１の第１および第２のチューブ６１1，６１2と接触する箇所についてはＲ加工（丸み付け加工）を施すことが好ましい。
【００６０】
図１２（ａ），（ｂ）に示す例では、保護スリーブ７０は、光ケーブル接続具１を包囲するように、第１および第２のカップ状部材７１1，７１2を向かい合わせた構成を有する円筒状のスリーブである。
【００６１】
第１および第２のカップ状部材７１1，７１2は、第１および第２の光ドロップケーブル１０1，１０2がそれぞれ挿通される第１および第２のケーブル挿通孔７２1，７２2が底部側端部に形成されるとともに、第１および第２のねじ溝７３1，７３2が開放側端部の内周面に形成されている。
光ケーブル接続具１の外面には、その長手方向中央部において、第１および第２のカップ状部材７１1，７１2の開放側端部を支持するリング状部７４が形成されている。ここで、リング状部７４の外周面には、第１および第２のカップ状部材７１1，７１2の第１および第２のねじ溝７３1，７３2に対応するねじ山が形成されている。
【００６２】
第１および第２の光ドロップケーブル１０1，１０2の接続作業は、第１および第２のカップ状部材７１1，７１2を開いた状態で行う。接続作業が完了すると、第１および第２のカップ状部材７１1，７１2を互いに接近させ、光ケーブル接続具１のリング状部７４に螺合する。これによって、光ケーブル接続具１のハウジング２０は第１および第２のカップ状部材７１1，７１2によって全体が覆われる。
【００６３】
なお、図１１（ａ），（ｂ）および図１２（ａ），（ｂ）に示したように、光ケーブル接続具１を保護スリーブ６０，７０で保護する場合は、図１に示したカバー３０は必ずしも設けなくともよい。
【００６４】
また、上述した各実施例では、光ケーブル接続具１，１００（ハウジング２０）は全体として略直方体形状のものとして説明したが、その形状は特に限定されるものではなく、設置場所やデザイン上の要求などに応じた任意の形状であってよい。特に、図１２（ａ），（ｂ）に示したような円筒状の保護スリーブ７０を備える場合は、その内部に収容される構造も全体として円筒状であることが望ましい。
【００６５】
さらに、図１に示したように第１乃至第３の係合爪３０ａ1，３０ａ2，２０ａおよび第１乃至第３の係合凹部２０ｂ1，２０ｂ2，３０ｂの組を配置することによりカバー３０が不用意に開けられることを防止したが、図１３（ａ）の右側に示すようなハウジング固定具８０を用いてもよい。
【００６６】
ハウジング固定具８０は、カバー３０およびハウジング２０を弾性的に挟み込む第１および第２の挟持面８１1，８１2と、第１および第２の挟持面８１1，８１2の間の背面８２とを備える。
第１および第２の挟持面８１1，８１2には、カバー３０の上面の中央部およびハウジング２０の底面の中央部にそれぞれ形成された第１および第２の溝８５1，８５2（第２の溝８５2は不図示）とそれぞれ嵌合する第１および第２の凹部８３1，８３2がそれぞれ形成されている。
また、第１および第２の挟持面８１1，８１2の先端には第１および第２の爪が設けられており、カバー３０およびハウジング２０を挟み込んだときに第１および第２の爪でカバー３０およびハウジング２０を掴むようにされている。
【００６７】
図１３（ｂ）に示すように、カバー３０が閉じられた光ケーブル接続具１にハウジング固定具８０を第１および第２の凹部８３1，８３2が第１および第２の溝８５1，８５2に嵌合するまで挿入し、第１および第２の挟持面８１1，８１2が内側に閉じようとする力を利用してカバー３０およびハウジング２０をハウジング固定具８０で挟み込む。これにより、カバー３０が不用意に開けられることを防止することができる。
【産業上の利用可能性】
【００６８】
以上説明したように、本発明の光ケーブル接続具は、たとえば、建物外から建物内に引き込まれた光ドロップケーブルと建物内に敷設された光ドロップケーブルとを建物内で接続するのに利用することができる。
【図面の簡単な説明】
【００６９】
【図１】本発明の第１の実施例による光ケーブル接続具の斜視図である。
【図２】図１に示した光ケーブル接続具１のカバー３０を除いた状態での平面図である。
【図３】図１に示した第１の光ドロップケーブル１０1の断面図である。
【図４】図１に示した光ケーブル接続具１の第１および第２の光ドロップケーブル１０1，１０2の固定構造の変更例を示す要部斜視図である。
【図５】本発明の第２の実施例による光ケーブル接続具の要部平面図である。
【図６】図５に示した第１および第２のケーブル固定構造４１1，４１2の具体例を示す図であり、（ａ）はその平面図、（ｂ）は（ａ）のＡ−Ａ線断面図である。
【図７】図５に示した第１および第２のケーブル固定構造４１1，４１2の他の具体例を示す図であり、（ａ）はその平面図、（ｂ）は（ａ）のＢ−Ｂ線断面図である。
【図８】図５に示した第１および第２のケーブル固定構造４１1，４１2の更に他の具体例を示す図であり、（ａ）はその平面図、（ｂ）は（ａ）のＣ−Ｃ線断面図である。
【図９】図５に示した第１および第２のケーブル固定構造４１1，４１2の別の具体例を示す図であり、（ａ）はその平面図、（ｂ）は（ａ）のＤ−Ｄ線断面図である。
【図１０】本発明による光ケーブル接続具の建物内の壁面への取付け構造の一例を示す図であり、（ａ）は光ケーブル接続具の背面図、（ｂ）は側方から光ケーブル接続具と壁面との関係を示す。
【図１１】本発明の光ケーブル接続具用の保護スリーブの一例を示す図である。
【図１２】本発明の光ケーブル接続具用の保護スリーブの他の例を示す図である。
【図１３】本発明の光ケーブル接続具用のハウジング固定具の一例を示す図である。
【符号の説明】
【００７０】
１，１００  光ケーブル接続具
１０1，１０2  第１および第２の光ドロップケーブル
１０ａ11，１０ａ12，１０ａ21，１０ａ22  先端部分
１１1，１１2  第１および第２の光ファイバ心線
１２11，１２12  テンションメンバ
１３1  第１の被覆
２０  ハウジング
２０ａ  第３の係合爪
２０ｂ1，２０ｂ2  第１および第２の係合凹部
２１1，２１2  第１および第２のケーブル収容溝
２２  ファイバ連結部
２２ａ1，２２ａ2  第１および第２の保持爪
２５  メカニカルスプライス
２６1，２６2  第１および第２のケーブル押さえ
２６ａ1，２６ａ2  第１および第２の軸部材
２７1，２７2  第１および第２のねじ
３０  カバー
３０ａ1，３０ａ2  第１および第２の係合爪
３０ｂ  第３の係合凹部
３２1  第１の凸部
４１1，４１2  第１および第２のケーブル固定構造
４２1〜４２4  第１乃至第４のガイドピン
４３1，４３2  第１および第２のケーブル支持部
４３ａ1  第１のケーブル挿通孔
４３ｂ11  第１のねじ孔
４４11，４４21  ねじ
４５1，４５2  第１および第２のケーブル支持部
４５ａ1，４５ａ2  第１および第２の溝
４５ｂ11  ねじ孔
４６11，４６21  ねじ
４６ａ11  頭部
４７ａ1  第１のケーブル支持部
４７ｂ1，４７ｂ2  第１および第２のケーブル押さえ部
４７ｃ1  第１の係合構造
４８ａ11，４８ａ12，４８ａ21，４８ａ22  クランプ爪
５０1，５０2  第１および第２の取付け穴
５０ａ1，５０ａ2  第１および第２のフック挿入部
５０ｂ1，５０ｂ2  第１および第２の引掛け部
５１1  第１のフック
５１ａ1  第１の軸部
５１ｂ1  第１の頭部
５５  壁面
６０  保護スリーブ
６１1，６１2  第１および第２のチューブ
７０  保護スリーブ
７１1，７１2  第１および第２のカップ状部材
７２1，７２2  第１および第２のケーブル挿通孔
７３1，７３2  第１および第２のねじ溝
７４    リング状部
８０  ハウジング固定具
８１1，８１2  第１および第２の挟持面
８２  背面
８３1，８３2  第１および第２の凹部
８５1  第１の溝
【図１】
0004458538.tif 000002
【図２】
0004458538.tif 000003
【図３】
0004458538.tif 000004
【図４】
0004458538.tif 000005
【図５】
0004458538.tif 000006
【図６】
0004458538.tif 000007
【図７】
0004458538.tif 000008
【図８】
0004458538.tif 000009
【図９】
0004458538.tif 000010
【図１０】
0004458538.tif 000011
【図１１】
0004458538.tif 000012
【図１２】
0004458538.tif 000013
【図１３】
0004458538.tif 000014